(57)【要約】【課題】必要な情報を光ディスクから短時間で取得することを可能とする。【解決手段】光ディスクに記録されているファイルの名称、記録位置、及び属性等のファイル一覧情報を再生している途中で再生速度を変更するタイミングとなっても、変速禁止フラグＦが１の間は再生速度は変更せず、変速禁止フラグＦが０になってから再生速度を変更する（ステップ６０７〜６１５）。すなわち、変更タイミングを遅延させる。これにより、ファイル一覧情報の再生が再生速度の変更に起因して中断されるのを抑制することができ、ファイル一覧情報を短時間で取得することが可能となる。そして、ユーザは、迅速に次の処理を実行することができ、利便性が向上する。【選択図】図４
2006172545.tif 000002
【特許請求の範囲】
【請求項１】
複数の再生速度に対応可能な情報再生装置を用いて、光ディスクに記録されている情報を再生するときの再生速度を制御する制御方法であって、
前記再生速度をステップ状に上げながら対応可能な最も速い再生速度に到達させる際に、
前記複数の再生速度に含まれる第１の再生速度から第２の再生速度に上げるタイミングを既定のタイミングよりも遅らせる工程を含む制御方法。
【請求項２】
前記遅らせる工程では、前記光ディスクに記録されているファイル一覧情報の再生が完了するまで前記タイミングを遅らせることを特徴とする請求項１に記載の制御方法。
【請求項３】
前記第１の再生速度は、前記複数の再生速度のうち、最も遅い再生速度であることを特徴とする請求項１又は２に記載の制御方法。
【請求項４】
前記第１の再生速度は、前記複数の再生速度のうち、最も遅い再生速度と前記最も速い再生速度との間の再生速度であることを特徴とする請求項１又は２に記載の制御方法。
【請求項５】
前記情報の再生エラーが生じると再生速度を遅くして、前記情報の再生をリトライする工程を更に含むことを特徴とする請求項４に記載の制御方法。
【請求項６】
複数の再生速度に対応可能であり、光ディスクに記録されている情報を再生する際に、再生速度をステップ状に上げながら対応可能な最も速い再生速度に到達させる情報再生装置であって、
前記最も速い再生速度に到達させる過程において、前記複数の再生速度に含まれる第１の再生速度から第２の再生速度に上げるタイミングを既定のタイミングよりも遅らせる制御装置と；
前記光ディスクを再生速度に応じて回転させる回転駆動装置と；
前記光ディスクに記録されている情報を再生する処理装置と；を備える情報再生装置。
【請求項７】
前記制御装置は、前記光ディスクに記録されているファイル一覧情報の再生が完了するまで前記タイミングを遅らせることを特徴とする請求項６に記載の情報再生装置。
【請求項８】
前記第１の再生速度は、前記複数の再生速度のうち、最も遅い再生速度であることを特徴とする請求項６又は７に記載の情報再生装置。
【請求項９】
前記第１の再生速度は、前記複数の再生速度のうち、最も遅い再生速度と前記最も速い再生速度との間の再生速度であることを特徴とする請求項６又は７に記載の情報再生装置。
【請求項１０】
前記処理装置は、再生エラーが生じると再生速度を下げて、前記情報の再生をリトライすることを特徴とする請求項９に記載の情報再生装置。
【請求項１１】
複数の再生速度に対応可能であり、光ディスクに記録されている情報を再生する際に、再生速度をステップ状に上げながら対応可能な最も速い再生速度に到達させる情報再生装置に用いられるプログラムであって、
前記最も速い再生速度に到達させる過程において、前記複数の再生速度に含まれる第１の再生速度から第２の再生速度に上げるタイミングを既定のタイミングよりも遅らせる手順を前記情報再生装置の制御用コンピュータに実行させるプログラム。
【請求項１２】
請求項１１に記載のプログラムが記録されたコンピュータ読み取り可能な記録媒体。
【発明の詳細な説明】
【技術分野】
【０００１】
本発明は、制御方法、情報再生装置、プログラム及び記録媒体に係り、更に詳しくは、光ディスクに記録されている情報を再生するときの再生速度を制御する制御方法、光ディスクに記録されている情報の再生が可能な情報再生装置、情報再生装置で用いられるプログラム及び該プログラムが記録された記録媒体に関する。
【背景技術】
【０００２】
近年、パーソナルコンピュータ（以下「パソコン」という）は、その機能が向上するに伴い、文書データ、表計算データなどのパソコンで作成したデータだけでなく、音楽データやビデオデータなどのＡＶ（Audio-Visual）データも取り扱うことが可能となってきた。そして、これらのデータを記録するための情報記録媒体としてＣＤ（compact disc）やＤＶＤ（digital versatile disc）などの光ディスクが注目されるようになり、その低価格化とともに、光ディスクに記録されている情報を再生することができる光ディスク装置がパソコンの周辺機器の一つとして普及するようになった。
【０００３】
ＣＤ系の光ディスクとしては、ＣＤ−ＲＯＭ、ＣＤ−Ｒ（ＣＤ−recordable）及びＣＤ−ＲＷ（ＣＤ-rewritable）などが、ＤＶＤ系の光ディスクとしては、ＤＶＤ−ＲＯＭ、ＤＶＤ−ＲＡＭ、ＤＶＤ−Ｒ（ＤＶＤ−recordable）、ＤＶＤ−ＲＷ（ＤＶＤ−rewritable）、ＤＶＤ＋Ｒ（ＤＶＤ＋recordable）及びＤＶＤ＋ＲＷ（ＤＶＤ＋rewritable）などが市販されている。
【０００４】
ＣＤに対応可能な光ディスク装置は、ＣＤに記録されている情報を再生するときの再生速度として複数の再生速度（例えば、８倍速、１２倍速、２４倍速、３２倍速及び４８倍速）をサポートしている（例えば、特許文献１参照）。また、ＤＶＤに対応可能な光ディスク装置は、ＤＶＤに記録されている情報を再生するときの再生速度として複数の再生速度（例えば、２倍速、４倍速及び８倍速）をサポートしている。そして、通常は、再生要求があると、電力の消費を抑える等の理由で、いきなり最高速度で再生するのではなく、例えばＣＤの場合には、８倍速→２４倍速→４８倍速というように段階的に再生速度を上げている。
【０００５】
ところで、パソコンに搭載されているオペレーティングシステム（以下「ＯＳ」という）の中には、光ディスクが挿入されると、光ディスクに記録されているファイルの名称、記録位置及び属性等をディスプレイ等に表示させるものがある。
【０００６】
しかしながら、ファイルの名称、記録位置及び属性等がディスプレイ等に表示されるのに時間がかかる場合があり、この場合には、ユーザが目的とする処理を迅速に行うことができず、利便性が損なわれるという不都合があった。
【０００７】
【特許文献１】特開２００２−８３１６号公報
【発明の開示】
【発明が解決しようとする課題】
【０００８】
本発明は、かかる事情の下になされたもので、その第１の目的は、必要な情報を光ディスクから短時間で取得することを可能とする制御方法を提供することにある。
【０００９】
また、本発明の第２の目的は、必要な情報を光ディスクから短時間で取得することができる情報再生装置を提供することにある。
【００１０】
また、本発明の第３の目的は、情報再生装置の制御用コンピュータにて実行され、必要な情報を光ディスクから短時間で取得することを可能とするプログラム及びそのプログラムが記録された記録媒体を提供することにある。
【課題を解決するための手段】
【００１１】
発明者は、前述したファイルの名称、記録位置及び属性等がディスプレイ等に表示されるのに時間がかかる原因について鋭意研究した結果、ファイルの名称、記録位置及び属性等が含まれる情報の再生動作中に再生速度が変更され、線速度、サーボ信号及び再生信号等が安定するまで再生が中断されることが主たる原因であるという知見を得た。本発明は、かかる発明者の得た新規知見に基づいてなされたもので、以下のような構成を採用する。
【００１２】
請求項１に記載の発明は、複数の再生速度に対応可能な情報再生装置を用いて、光ディスクに記録されている情報を再生するときの再生速度を制御する制御方法であって、前記再生速度をステップ状に上げながら対応可能な最も速い再生速度に到達させる際に、前記複数の再生速度に含まれる第１の再生速度から第２の再生速度に上げるタイミングを既定のタイミングよりも遅らせる工程を含む制御方法である。
【００１３】
なお、本明細書では、「ファイル一覧情報」は、光ディスクに記録されているファイルの名称、記録位置及び属性を含む情報であり、採用されているファイルシステム（例えば、ＩＳＯ９６６０、ＵＤＦなど）に依存している。
【００１４】
これによれば、再生速度をステップ状に上げながら対応可能な最も速い再生速度に到達させる際に、複数の再生速度に含まれる第１の再生速度から第２の再生速度に上げるタイミングが既定のタイミングよりも遅らされる。この場合には、第１の再生速度での再生時間が従来よりも長くなるため、必要な情報の再生処理の途中で再生速度が変更されるのを抑制することが可能となる。すなわち、必要な情報の再生が再生速度の変更に起因して中断されるのを抑制することができる。従って、結果として必要な情報を光ディスクから短時間で取得することが可能となる。
【００１５】
この場合において、請求項２に記載の制御方法の如く、前記遅らせる工程では、前記光ディスクに記録されているファイル一覧情報の再生が完了するまで前記タイミングを遅らせることとすることができる。
【００１６】
上記請求項１及び２に記載の各制御方法において、請求項３に記載の制御方法の如く、前記第１の再生速度は、前記複数の再生速度のうち、最も遅い再生速度であることとすることができる。
【００１７】
上記請求項１及び２に記載の各制御方法において、請求項４に記載の制御方法の如く、前記第１の再生速度は、前記複数の再生速度のうち、最も遅い再生速度と前記最も速い再生速度との間の再生速度であることとすることができる。
【００１８】
この場合において、請求項５に記載の制御方法の如く、前記情報の再生エラーが生じると再生速度を遅くして、前記情報の再生をリトライする工程を更に含むこととすることができる。
【００１９】
請求項６に記載の発明は、複数の再生速度に対応可能であり、光ディスクに記録されている情報を再生する際に、再生速度をステップ状に上げながら対応可能な最も速い再生速度に到達させる情報再生装置であって、前記最も速い再生速度に到達させる過程において、前記複数の再生速度に含まれる第１の再生速度から第２の再生速度に上げるタイミングを既定のタイミングよりも遅らせる制御装置と；前記光ディスクを再生速度に応じて回転させる回転駆動装置と；前記光ディスクに記録されている情報を再生する処理装置と；を備える情報再生装置である。
【００２０】
これによれば、回転駆動装置により光ディスクが再生速度に応じて回転され、処理装置により光ディスクに記録されている情報が再生される。この際に、制御装置により、再生速度をステップ状に上げながら対応可能な最も速い再生速度に到達させる過程において、複数の再生速度に含まれる第１の再生速度から第２の再生速度に上げるタイミングが既定のタイミングよりも遅らされる。この場合には、第１の再生速度での再生時間が従来よりも長くなるため、必要な情報の再生処理の途中で再生速度が変更されるのを抑制することが可能となる。すなわち、必要な情報の再生が再生速度の変更に起因して中断されるのを抑制することができる。従って、結果として必要な情報を光ディスクから短時間で取得することが可能となる。
【００２１】
この場合において、請求項７に記載の情報再生装置の如く、前記制御装置は、前記光ディスクに記録されているファイル一覧情報の再生が完了するまで前記タイミングを遅らせることとすることができる。
【００２２】
上記請求項６及び７に記載の各情報再生装置において、請求項８に記載の情報再生装置の如く、前記第１の再生速度は、前記複数の再生速度のうち、最も遅い再生速度であることとすることができる。
【００２３】
上記請求項６及び７に記載の各情報再生装置において、請求項９に記載の情報再生装置の如く、前記第１の再生速度は、前記複数の再生速度のうち、最も遅い再生速度と前記最も速い再生速度との間の再生速度であることとすることができる。
【００２４】
この場合において、請求項１０に記載の情報再生装置の如く、前記処理装置は、再生エラーが生じると再生速度を下げて、前記情報の再生をリトライすることとすることができる。
【００２５】
請求項１１に記載の発明は、複数の再生速度に対応可能であり、光ディスクに記録されている情報を再生する際に、再生速度をステップ状に上げながら対応可能な最も速い再生速度に到達させる情報再生装置に用いられるプログラムであって、前記最も速い再生速度に到達させる過程において、前記複数の再生速度に含まれる第１の再生速度から第２の再生速度に上げるタイミングを既定のタイミングよりも遅らせる手順を前記情報再生装置の制御用コンピュータに実行させるプログラムである。
【００２６】
これによれば、本発明のプログラムが所定のメモリにロードされ、その先頭アドレスがプログラムカウンタにセットされると、情報再生装置の制御用コンピュータは、光ディスクに記録されている情報を再生する際に、再生速度をステップ状に上げながら対応可能な最も速い再生速度に到達させる過程において、複数の再生速度に含まれる第１の再生速度から第２の再生速度に上げるタイミングを既定のタイミングよりも遅らせる。すなわち、本発明のプログラムによれば、情報再生装置の制御用コンピュータに請求項１に記載の発明に係る制御方法を実行させることができ、これにより、必要な情報を光ディスクから短時間で取得することが可能となる。
【００２７】
請求項１２に記載の発明は、請求項１１に記載のプログラムが記録されたコンピュータ読み取り可能な記録媒体である。
【００２８】
これによれば、請求項１１に記載のプログラムが記録されているために、コンピュータに実行させることにより、必要な情報を光ディスクから短時間で取得することが可能となる。
【発明を実施するための最良の形態】
【００２９】
以下、本発明の一実施形態を図１〜図４に基づいて説明する。図１には、本発明の一実施形態に係る情報再生装置としての光ディスク装置２０の概略構成が示されている。
【００３０】
この図１に示される光ディスク装置２０は、光ディスク１５を回転駆動するためのスピンドルモータ２２、光ピックアップ装置２３、該光ピックアップ装置２３をスレッジ方向に駆動するためのシークモータ２１、レーザ制御回路２４、エンコーダ２５、駆動制御回路２６、再生信号処理回路２８、バッファＲＡＭ３４、バッファマネージャ３７、インターフェース３８、フラッシュメモリ３９、ＣＰＵ４０及びＲＡＭ４１などを備えている。なお、図１における矢印は、代表的な信号や情報の流れを示すものであり、各ブロックの接続関係の全てを表すものではない。また、本実施形態では、一例としてＤＶＤ＋ＲＷの規格に準拠した情報記録媒体が光ディスク１５に用いられるものとする。そして、光ディスク装置２０は、再生速度として４種類の再生速度（２倍速、２．４倍速、４倍速及び８倍速）をサポートしているものとする。
【００３１】
前記光ピックアップ装置２３は、光ディスク１５の記録面にレーザ光を集光するとともに、その記録面からの反射光を受光するための装置である。この光ピックアップ装置２３は、光ディスク１５に対応した波長のレーザ光を出射する半導体レーザ、該半導体レーザから出射された光束を光ディスク１５の記録面に集光する対物レンズ、前記記録面で反射された戻り光束を受光する受光器、及び前記対物レンズを駆動するための駆動系（フォーカシングアクチュエータ及びトラッキングアクチュエータ）（いずれも図示省略）などを含んで構成されている。前記受光器は複数の受光素子（又は受光領域）を有し、各受光素子（又は受光領域）での受光量に応じた信号（光電変換信号）を再生信号処理回路２８に出力する。
【００３２】
前記再生信号処理回路２８は、前記受光器の出力信号（複数の光電変換信号）に基づいて、従来と同様にして、サーボ信号（フォーカスエラー信号やトラックエラー信号など）、アドレス情報、同期信号、及びＲＦ信号などを取得する。ここで得られたサーボ信号は前記駆動制御回路２６に出力され、アドレス情報はＣＰＵ４０に出力され、同期信号はエンコーダ２５や駆動制御回路２６などに出力される。また、再生信号処理回路２８は、ＲＦ信号に対して復号処理及び誤り検出処理などを行い、誤りが検出されたときには誤り訂正処理を行った後、再生データとして前記バッファマネージャ３７を介して前記バッファＲＡＭ３４に格納する。なお、訂正が不可能な場合には、再生エラーをＣＰＵ４０に通知する。
【００３３】
前記駆動制御回路２６は、再生信号処理回路２８からのトラックエラー信号に基づいて、トラッキング方向に関する対物レンズの位置ずれを補正するための前記トラッキングアクチュエータの駆動信号を生成する。また、駆動制御回路２６は、再生信号処理回路２８からのフォーカスエラー信号に基づいて、対物レンズのフォーカスずれを補正するための前記フォーカシングアクチュエータの駆動信号を生成する。ここで生成された各駆動信号は光ピックアップ装置２３に出力される。これにより、トラッキング制御及びフォーカス制御が行われる。さらに、駆動制御回路２６は、ＣＰＵ４０の指示に基づいて、シークモータ２１を駆動するための駆動信号、及びスピンドルモータ２２を駆動するための駆動信号を生成する。各駆動信号は、それぞれシークモータ２１及びスピンドルモータ２２に出力される。
【００３４】
前記バッファＲＡＭ３４には、光ディスク１５に記録するデータ（記録用データ）、及び光ディスク１５から再生したデータ（再生データ）などが一時的に格納される。このバッファＲＡＭ３４へのデータの入出力は、前記バッファマネージャ３７によって管理されている。
【００３５】
前記エンコーダ２５は、ＣＰＵ４０の指示に基づいて、バッファＲＡＭ３４に蓄積されている記録用データをバッファマネージャ３７を介して取り出し、データの変調及びエラー訂正コードの付加などを行ない、光ディスク１５への書き込み信号を生成する。ここで生成された書き込み信号はレーザ制御回路２４に出力される。
【００３６】
前記レーザ制御回路２４は、前記半導体レーザの発光パワーを制御する。例えば記録の際には、前記書き込み信号、記録条件及び半導体レーザの発光特性などに基づいて、半導体レーザの駆動信号がレーザ制御回路２４にて生成される。
【００３７】
前記インターフェース３８は、上位装置９０（例えば、パソコン）との双方向の通信インターフェースであり、ＡＴＡＰＩ（AT Attachment Packet Interface）、ＳＣＳＩ（Small Computer System Interface）及びＵＳＢ（Universal Serial Bus）などの標準インターフェースに準拠している。
【００３８】
前記フラッシュメモリ３９には、ＣＰＵ４０にて解読可能なコードで記述された本発明に係るプログラムを含む各種プログラム、記録パワーや記録ストラテジ情報を含む記録条件、及び半導体レーザの発光特性などが格納されている。
【００３９】
前記ＣＰＵ４０は、フラッシュメモリ３９に格納されている上記プログラムに従って光ディスク装置２０の全体を制御するとともに、制御に必要なデータなどをＲＡＭ４１及びバッファＲＡＭ３４に保存する。なお、本実施形態では、光ディスク装置２０に電源が投入されると、電源投入時のハードウェア設定処理において、一例として１０ｍＳのタイマ割り込みが許可され、ＣＰＵ４０は、１０ｍＳ毎に後述するタイマ割り込み処理を行う。
【００４０】
また、光ディスク装置２０は、光ディスクが所定位置に挿入（セット）されているか否かを検知するための検知機構を有している。
【００４１】
次に、光ディスク装置２０に光ディスク１５が挿入されたときの処理（ディスク挿入時処理）について図２を用いて説明する。図２のフローチャートは、ＣＰＵ４０によって実行される一連の処理アルゴリズムに対応している。上記検知機構によってディスク挿入が検知されると、フラッシュメモリ３９に格納されている図２のフローチャートに対応するプログラム（以下「ディスク挿入時処理プログラム」という）の開始アドレスがＣＰＵ４０のプログラムカウンタにセットされ、ディスク挿入時処理がスタートする。
【００４２】
最初のステップ４０１では、変速禁止フラグ（Ｆとする）に再生速度の変更禁止解除を意味する０をセットする。
【００４３】
次のステップ４０３では、再生速度を２倍速に設定する。なお、光ディスクの挿入直後は光ディスクが未知であることから、光ディスクを特定するための各種情報が確実に取得できるように、本実施形態では、一例としてディスク挿入直後の再生速度（いわゆるマウントスピード）を２倍速としている。
【００４４】
次のステップ４０５では、設定された再生速度に対応してスピンドルモータ２２が回転するように、駆動制御回路２６に指示する。
【００４５】
次のステップ４０７では、光ディスク１５の種類を判別する。ここでは、記録面での反射率、フォーカスエラー信号及びトラックエラー信号の各振幅、ウォブル信号、ＴＯＣ（Table Of Contents）情報、ＰＭＡ（Program Memory Area）情報などに基づいて、光ディスク１５の種類が判別される。
【００４６】
次のステップ４０９では、光ディスク１５の種類の判別に成功したか否かを判別する。光ディスク１５の種類の判別に成功していれば、ここでの判断は肯定され、ステップ４１１に移行する。
【００４７】
このステップ４１１では、光ディスクの種類に依存する回路（レーザ制御回路２４、再生信号処理回路２８など）に対して光ディスクの種類に応じた動作設定を行なう。また、光ディスク１５の種類の判別結果は、ＲＡＭ４１に保存され、随時参照される。
【００４８】
次のステップ４１３では、１０ｍＳのタイマカウンタ（変速禁止タイマカウンタＣＴとする）に０をセットする。
【００４９】
次のステップ４１５では、変速禁止フラグＦに再生速度の変更禁止を意味する１をセットする。
【００５０】
次のステップ４１７では、光ディスク１５が挿入されたことを上位装置９０に通知する。そして、ディスク挿入時処理を終了する。
【００５１】
なお、上記ステップ４０９において、光ディスク１５の種類の判別に成功していなければ、ここでの判断は否定され、ディスク挿入時処理を終了する。
【００５２】
次に、前記１０ｍＳのタイマ割り込み処理について、図３を用いて説明する。図３のフローチャートは、ＣＰＵ４０によって実行される一連の処理アルゴリズムに対応している。１０ｍＳのタイマ割り込みが発生すると、フラッシュメモリ３９に格納されている図３のフローチャートに対応するプログラム（以下「タイマ割り込み処理プログラム」という）の開始アドレスがＣＰＵ４０のプログラムカウンタにセットされ、タイマ割り込み処理がスタートする。
【００５３】
最初のステップ５０１では、変速禁止フラグＦが１であるか否かを判断する。変速禁止フラグＦが１であれば、ここでの判断は肯定され、ステップ５０３に移行する。
【００５４】
このステップ５０３では、変速禁止タイマカウンタＣＴの値に１を加算する。
【００５５】
次のステップ５０５では、変速禁止タイマカウンタＣＴの値が７５０未満であるか否かを判断する。変速禁止タイマカウンタＣＴの値が７５０未満であれば、ここでの判断は肯定され、タイマ割り込み処理から抜ける。一方、変速禁止タイマカウンタＣＴの値が７５０以上であれば、ここでの判断は否定され、ステップ５０７に移行する。すなわち、変速禁止の状態は７．５秒間継続されることとなる。この７．５秒という変速禁止時間は、ファイル一覧情報の再生に要する時間として、予め光ディスク装置２０の製造工程において取得されている。なお、通常行われている光ディスク装置のベンチマークテストでは、１０秒以内で最高速度（ここでは８倍速）に到達可能であれば合格とされている。従って、ここでの変速禁止時間は、ベンチマークテスト結果に悪影響を及ぼすものではない。
【００５６】
このステップ５０７では、変速禁止フラグＦを０に変更する。そして、タイマ割り込み処理から抜ける。
【００５７】
なお、上記ステップ５０１において、変速禁止フラグＦが１でなければ、ここでの判断は否定され、タイマ割り込み処理から抜ける。
【００５８】
ところで、上位装置９０は、光ディスク１５の挿入通知を受け取ると、光ディスク１５に記録されているファイル一覧情報を取得するためのコマンド（以下「ファイル一覧情報コマンド」と略述する）を光ディスク装置２０に対して発行する。
【００５９】
次に、光ディスク装置２０が、上位装置９０からファイル一覧情報コマンドを受信したときの処理について図４を用いて説明する。図４のフローチャートは、ＣＰＵ４０によって実行される一連の処理アルゴリズムに対応している。ファイル一覧情報コマンドを受信すると、フラッシュメモリ３９に格納されている図４のフローチャートに対応するプログラム（以下「再生処理プログラム」という）の開始アドレスがＣＰＵ４０のプログラムカウンタにセットされ、再生処理がスタートする。
【００６０】
最初のステップ６０１では、再生速度を２．４倍速に設定し、駆動制御回路２６に通知する。これにより、スピンドルモータ２２は、２．４倍速の再生速度に対応した回転速度で回転する。
【００６１】
次のステップ６０３では、光ピックアップ装置２３の目標位置への位置決めを駆動制御回路２６に指示する。
【００６２】
次のステップ６０５では、光ピックアップ装置２３が目標位置に位置決めされたことを確認すると、再生を許可する。これにより、再生信号処理回路２８にて再生が開始される。
【００６３】
次のステップ６０７では、変速禁止フラグＦが１であるか否かを判断する。変速禁止フラグＦが１であれば、ここでの判断は肯定され、ステップ６１７に移行する。
【００６４】
このステップ６１７では、再生が完了しているか否かを判断する。記録が完了していなければ、ここでの判断は否定され、上記ステップ６０７に戻る。
【００６５】
以下、ステップ６０７での判断が否定されるか、あるいはステップ６１７での判断が肯定されるまで、２．４倍速の再生速度で再生が継続される。再生データはセクタ毎に上位装置９０に送信される。上位装置９０では、受信した再生データを順次ファイル一覧情報として不図示のディスプレイ等に表示する。そして、上位装置９０に搭載されているＯＳは、ファイルの属性に応じて予め設定されている処理を行う。例えば、ファイルが画像データ（例えば、拡張子がgif、jpg、bmp等）であれば、そのサムネイル表示を行い、ファイルが音楽データ（例えば、拡張子がwav、wma、mp3等）であれば、対応するプレーヤを起動し、ファイルが文書データ（例えば、拡張子がtxt、pdf等）であれば、対応する文書ビュアーを起動する。従って、ファイルの実体の再生コマンドが、続いて上位装置９０から発行される。すなわち、迅速に次の処理に移行することができ、ユーザにとって、利便性が向上することとなる。
【００６６】
そして、再生が完了する前に、変速禁止フラグＦが０になると、上記ステップ６０７での判断は否定され、ステップ６０９に移行する。
【００６７】
このステップ６０９では、現在の再生速度が８倍速であるか否かを判断する。ここでは、現在の再生速度は２．４倍速であるので、ここでの判断は否定され、ステップ６１１に移行する。
【００６８】
このステップ６１１では、現在の再生速度が４倍速であるか否かを判断する。ここでは、現在の再生速度は２．４倍速であるので、ここでの判断は否定され、ステップ６１３に移行する。
【００６９】
このステップ６１３では、再生速度を４倍速に変更し、駆動制御回路２６に通知する。そして、上記ステップ６１７に移行する。従来は、２．４倍速となってから約０．５秒後に４倍速に変更されるのに対し、本実施形態では約７．５秒後に４倍速に変更されている。すなわち、変更のタイミングが約７秒遅延されている。
【００７０】
そして、ステップ６１７での判断が否定されると、ステップ６０７及び６０９ではいずれも否定され、ステップ６１１に移行する。ここでは、現在の再生速度は４倍速であるので、ステップ６１１での判断は肯定され、ステップ６１５に移行する。
【００７１】
このステップ６１５では、再生速度を８倍速に変更し、駆動制御回路２６に通知する。そして、上記ステップ６１７に移行する。これにより、ファイルの実体の大部分は、８倍速で再生されることとなり、ファイルの実体も短時間で上位装置９０の不図示のディスプレイ等に表示される。なお、音楽データであればプレイ（再生）が行なわれる。
【００７２】
そして、ステップ６１７での判断が否定されると、ステップ６０７では否定され、ステップ６０７に移行する。ここでは、現在の再生速度は８倍速であるので、ステップ６０９での判断は肯定され、ステップ６１７に移行する。
【００７３】
以下、再生が完了するまで、８倍速の再生速度で再生が継続される。そして、再生が完了すると、ステップ６１７での判断は肯定され、ステップ６１９に移行する。
【００７４】
このステップ６１９では、再生完了を上位装置９０に通知する。そして、再生処理を終了する。
【００７５】
以上の説明から明らかなように、本実施形態に係る光ディスク装置２０では、スピンドルモータ２２と駆動制御回路２６とによって回転駆動装置が構成されている。また、光ピックアップ装置２３と再生信号処理回路２８とによって処理装置が構成されている。
【００７６】
さらに、ＣＰＵ４０及び該ＣＰＵ４０にて実行されるプログラムとによって、制御装置が実現されている。すなわち、図２のステップ４１３、４１５、図３のステップ５０１〜５０７、及び図４のステップ６０７〜６１５によって制御装置が実現されている。なお、ＣＰＵ４０によるプログラムに従う処理によって実現した制御装置の少なくとも一部をハードウェアによって構成することとしても良いし、あるいは全てをハードウェアによって構成することとしても良い。
【００７７】
また、本実施形態では、記録媒体としてのフラッシュメモリ３９に記録されているプログラムのうち、前記ディスク挿入時処理プログラム、タイマ割り込み処理プログラム、及び再生処理プログラムによって、本発明に係るプログラムが実行されている。すなわち、図２のステップ４１３、４１５、図３のステップ５０１〜５０７、及び図４のステップ６０７〜６１５の処理に対応するプログラムによって、遅らせる手順が実行されている。
【００７８】
そして、図２のステップ４１３、４１５、図３のステップ５０１〜５０７、及び図４のステップ６０７〜６１５の処理によって、本発明に係る制御方法における遅らせる工程が実施されている。
【００７９】
以上説明したように、本実施形態に係る光ディスク装置２０によると、上位装置９０から光ディスク１５に記録されているファイル一覧情報の再生要求があると、２．４倍速の再生速度（第１の再生速度）で再生が開始される。２．４倍速の再生速度での再生は、従来よりも長い約７．５秒間継続され、その後、４倍速（第２の再生速度）及び８倍速の再生速度（最も速い再生速度）に順次変更される。これにより、ファイル一覧情報の再生が再生速度の変更に起因して中断されるのを抑制することができる。従って、光ディスクに記録されているファイル一覧情報を短時間で再生することが可能となる。すなわち、必要な情報を光ディスクから短時間で取得することができる。また、ファイルの実体は最も速い再生速度で再生される。
【００８０】
そして、ユーザに対して、ＯＳやアプリケーションとの連携を考慮した応答性に優れた情報再生装置を提供することが可能となる。
【００８１】
《再生処理の変形例１》
なお、上記実施形態では、２．４倍速から４倍速への変更が遅延される場合について説明したが、４倍速から８倍速への変更が遅延されても良い。この場合について、図５のフローチャートを用いて説明する。
【００８２】
最初のステップ７０１では、再生速度を２．４倍速に設定し、駆動制御回路２６に通知する。
【００８３】
次のステップ７０３では、再生エラーの有無情報が格納される再生エラーフラグ（Ｆｒとする）に再生エラーが無いことを意味する０をセットする。
【００８４】
次のステップ７０５では、光ピックアップ装置２３の目標位置への位置決めを駆動制御回路２６に指示する。
【００８５】
次のステップ７０７では、光ピックアップ装置２３が目標位置に位置決めされたことを確認すると、再生を許可する。
【００８６】
次のステップ７０９では、再生エラーフラグＦｒが１であるか否かを判断する。再生エラーフラグＦｒが０であれば、ここでの判断は否定され、ステップ７１１に移行する。
【００８７】
このステップ７１１では、変速禁止フラグＦが１であるか否かを判断する。変速禁止フラグＦが１であれば、ここでの判断は肯定され、ステップ７１３に移行する。
【００８８】
このステップ７１３では、現在の再生速度が４倍速であるか否かを判断する。ここでは、現在の再生速度は２．４倍速であるので、ここでの判断は否定され、ステップ７１５に移行する。
【００８９】
このステップ７１５では、再生速度を４倍速に変更し、駆動制御回路２６に通知する。
【００９０】
次のステップ７１７では、再生エラーがあるか否かを判断する。再生エラーがなければ、ここでの判断は否定され、ステップ７２９に移行する。
【００９１】
このステップ７２９では、再生が完了しているか否かを判断する。記録が完了していなければ、ここでの判断は否定され、上記ステップ７０９に戻る。
【００９２】
以下、ステップ７１１での判断が否定されるか、あるいはステップ７２９での判断が肯定されるまで、４倍速の再生速度で再生が継続される。
【００９３】
そして、再生が完了する前に、変速禁止フラグＦが０になると、上記ステップ７１１での判断は否定され、ステップ７２５に移行する。
【００９４】
このステップ７２５では、現在の再生速度が８倍速であるか否かを判断する。ここでは、現在の再生速度は４倍速であるので、ここでの判断は否定され、ステップ７２７に移行する。
【００９５】
このステップ７２７では、再生速度を８倍速に変更し、駆動制御回路２６に通知する。そして、上記ステップ７２９に移行する。
【００９６】
ステップ７２９での判断が否定されると、ステップ７０９及び７１１ではいずれも否定され、ステップ７２５に移行する。ここでは、現在の再生速度は８倍速であるので、ステップ７２５での判断は肯定され、ステップ７２９に移行する。
【００９７】
以下、再生が完了するまで、８倍速の再生速度で再生が継続される。そして、再生が完了すると、ステップ７２９での判断は肯定され、ステップ７３１に移行する。
【００９８】
このステップ７３１では、再生完了を上位装置９０に通知する。そして、再生処理を終了する。
【００９９】
ところで、４倍速の再生速度で再生中に再生エラーが生じると、前記ステップ７１７での判断が肯定され、ステップ７１９に移行する。
【０１００】
このステップ７１９では、再生速度を２．４倍速に変更し、駆動制御回路２６に通知する。すなわち、再生速度を減速する。
【０１０１】
次のステップ７２１では、再生エラーフラグＦｒに再生エラーがあったことを意味する１をセットする。
【０１０２】
次のステップ７２３では、ファイル一覧情報の再生リトライを再生信号処理回路２８に指示する。そして、ステップ７２９に移行する。
【０１０３】
ステップ７２９での判断が否定されると、ステップ７２９に移行する。ここでは、再生エラーフラグＦｒが１であるので、ここでの判断は肯定され、ステップ７２９に移行する。
【０１０４】
以下、再生が完了するまで、２．４倍速の再生速度で再生が継続される。そして、再生が完了すると、ステップ７２９での判断は肯定され、ステップ７３１に移行する。
【０１０５】
この変形例１においても、ファイル一覧情報は、一定の再生速度（ここでは４倍速）で再生されるため、上記実施形態と同様な効果を得ることができる。この場合は、４倍速が第１の再生速度であり、８倍速が第２の再生速度である。
【０１０６】
《再生処理の変形例２》
また、上記実施形態では、ディスク挿入時処理で、変速禁止タイマカウンタＣＴを０リセットする場合について説明したが、それとともに、あるいはそれに代えて、ファイル一覧情報コマンドを受信したときに変速禁止タイマカウンタＣＴを０リセットしても良い。この場合には、一例として図６に示されるように、図４のフローチャートにおける記録を許可する処理（ステップ６０５）よりも前に変速禁止タイマカウンタＣＴを０リセットすれば良い。
【０１０７】
この変形例２においても、上記実施形態と同様な効果を得ることができる。
【０１０８】
また、上記実施形態及び各変形例では、変速禁止時間が７．５秒の場合について説明したが、これに限定されるものではなく、ファイル一覧情報の大きさによって変更しても良い。
【０１０９】
また、上記実施形態及び各変形例では、タイマ割り込みが１０ｍＳの場合について説明したが、これに限定されるものではなく、変速禁止時間がカウントできれば１０ｍＳ以外であっても良い。
【０１１０】
また、上記実施形態及び各変形例では、情報再生装置が光ディスク装置の場合について説明したが、これに限定されるものではなく、例えば、ファイル一覧情報の表示機能を有するＤＶＤプレーヤであっても良い。
【０１１１】
また、上記実施形態及び各変形例では、必要な情報がファイル一覧情報の場合について説明したが、これに限定されるものではなく、予め取得していないと、次の処理に移行できない情報であれば良い。
【０１１２】
また、上記実施形態及び各変形例では、本発明に係るプログラムは、フラッシュメモリ３９に記録されているが、他の記録媒体（ＣＤ、光磁気ディスク、ＤＶＤ、メモリカード、ハードディスク、ＵＳＢメモリ、フレキシブルディスク等）に記録されていても良い。この場合には、各記録媒体に対応する再生装置（又は専用インターフェース）を介して本発明に係るプログラムをフラッシュメモリ３９にロードすることとなる。また、ネットワーク（ＬＡＮ、イントラネット、インターネットなど）を介して本発明に係るプログラムをフラッシュメモリ３９に転送しても良い。要するに、本発明に係るプログラムがフラッシュメモリ３９に格納されていれば良い。
【０１１３】
また、上記実施形態及び各変形例では、光ディスク１５がＤＶＤ＋ＲＷの規格に準拠した光ディスクである場合について説明したが、本発明がこれに限定されるものではなく、ＣＤや追記型のＤＶＤであってもよい。また、約４０５ｎｍの波長の光に対応した次世代の情報記録媒体であっても良い。
【０１１４】
また、上記実施形態及び各変形例では、光ディスク１５が１つの記録層を有する場合について説明したが、これに限らず、複数の記録層を有していても良い。この場合に、ＣＤの規格に準拠した記録層、ＤＶＤの規格に準拠した記録層、及び約４０５ｎｍの波長の光に対応した次世代の情報記録媒体の規格に準拠した記録層など、互いに異なる規格に準拠した記録層が混在しても良い。
【０１１５】
また、上記実施形態及び各変形例では、光ピックアップ装置が１つの半導体レーザを備える場合について説明したが、これに限らず、例えば互いに異なる波長の光束を発光する複数の半導体レーザを備えていても良い。この場合に、例えば波長が約４０５ｎｍの光束を発光する半導体レーザ、波長が約６６０ｎｍの光束を発光する半導体レーザ及び波長が約７８０ｎｍの光束を発光する半導体レーザの少なくとも１つを含んでいても良い。すなわち、光ディスク装置が互いに異なる規格に準拠した複数種類の光ディスクに対応する光ディスク装置であっても良い。
【産業上の利用可能性】
【０１１６】
以上説明したように、本発明の制御方法によれば、必要な情報を光ディスクから短時間で取得するのに適している。また、本発明の情報再生装置によれば、必要な情報を光ディスクから短時間で取得するのに適している。また、本発明のプログラム及び記憶媒体によれば、情報再生装置に、必要な情報を光ディスクから短時間で取得させるのに適している。
【図面の簡単な説明】
【０１１７】
【図１】本発明の一実施形態に係る情報再生装置としての光ディスク装置の構成を示すブロック図である。
【図２】光ディスクが挿入されたときの処理を説明するためのフローチャートである。
【図３】１０ｍＳタイマ割り込み処理を説明するためのフローチャートである。
【図４】再生処理を説明するためのフローチャートである。
【図５】再生処理の変形例１を説明するためのフローチャートである。
【図６】再生処理の変形例２を説明するためのフローチャートである。
【符号の説明】
【０１１８】
１５…光ディスク、２０…光ディスク装置（情報再生装置）、２２…スピンドルモータ（回転駆動装置の一部）、２３…光ピックアップ装置（処理装置の一部）、２６…駆動制御回路（回転駆動装置の一部）、２８…再生信号処理回路（処理装置の一部）、３９…フラッシュメモリ（記録媒体）、４０…ＣＰＵ（制御装置）。
【図１】
2006172545.tif 000003
【図２】
2006172545.tif 000004
【図３】
2006172545.tif 000005
【図４】
2006172545.tif 000006
【図５】
2006172545.tif 000007
【図６】
2006172545.tif 000008